(57)【要約】  簡単かつ安価な構成で容器開封後の内容物の味や香り、風味等の変化を抑えることができるようにする。  開示される劣化防止部材１は周縁部全体が容器の胴部横断面内側に近接又は当接するように形成され、容器の口部から首部を経て胴部に挿入されるために変形可能である。この劣化防止部材１は上部１１の縦断面形状が中心部１１ａを最高点として周縁部１１ｂに向かって緩やかに下降する略山形状を呈するように形成され、下部１２の縦断面形状が中心部１２ａを最低点として周縁部１２ｂに向かって緩やかに上昇する略逆山形状を呈するように形成されている。
2017082383.tif 000002
【特許請求の範囲】
【請求項１】
口部と、前記口部の内径と略等しい内径を有する首部と、前記首部の内径より大きい内径を有する胴部とを備えた容器に収容された内容物上に配置され、前記内容物の劣化を防止する劣化防止部材であって、
周縁部全体が前記胴部の横断面内側に近接又は当接するように形成され、前記口部から前記首部を経て前記胴部に挿入されるために変形可能であり、
上部の縦断面形状が第１中心部を最高点として前記第１中心部から第１周縁部に向かって緩やかに下降する略山形状を呈するように形成され、
下部の縦断面形状が第２中心部を最低点として前記第２中心部から第２周縁部に向かって緩やかに上昇する略逆山形状を呈するように形成されている
ことを特徴とする劣化防止部材。
【請求項２】
前記上部と前記下部との間に少なくとも１つの空間部が形成され、前記少なくとも１つの空間部に気体が封入されている
ことを特徴とする請求項１に記載の劣化防止部材。
【請求項３】
前記上部は、前記第１中心部が最も厚く、前記第１中心部から前記第１周縁部に向かって徐々に薄くなるように形成され、
前記下部は、前記第２中心部が最も厚く、前記第２中心部から前記第２周縁部に向かって徐々に薄くなるように形成されている
ことを特徴とする請求項２に記載の劣化防止部材。
【請求項４】
前記第１中心部及び前記第２中心部と前記第１周縁部及び前記第２周縁部との間に、放射状又は渦巻き状に、線状又は紐状のものあるいはチューブ状のものが内蔵されている
ことを特徴とする請求項１に記載の劣化防止部材。
【請求項５】
前記第１周縁部及び前記第２周縁部から前記第１中心部及び前記第２中心部に向かって伸張する切り込みが所定間隔で複数形成されている
ことを特徴とする請求項１に記載の劣化防止部材。
【請求項６】
前記上部と前記下部との間にガスバリア性を有するフィルム又は金属箔のいずれか一方又は両方が挿入されている
ことを特徴とする請求項１に記載の劣化防止部材。
【発明の詳細な説明】
【技術分野】
【０００１】
本発明は、液体や粒体、粉体等の内容物を収容する容器に挿入され、内容物の品質等が劣化することを防止する劣化防止部材に関する。
【背景技術】
【０００２】
酒類や清涼飲料水、乳酸菌飲料、牛乳等の飲料、又は、醤油、酢、みりん、魚醤、たれ、つゆ、ウスターソースなどの液体調味料、ドレッシング、食用油等は、様々な材質や形状、容積等を有する容器に収容され、密封されて市販されている。これらの容器内の内容物は、購入後、容器が開封されれば、時間が経てば経つほど、味や香り、風味等が変化していく。この変化は、例えば、内容物を構成する成分の酸化、内容物の生成過程で発生又は混入した酢酸菌等の各種菌類の繁殖、内容物の生成過程で発生又は圧入した二酸化炭素等の揮発物質の揮発などに起因している。【０００３】
このような容器開封後の内容物の味や香り、風味等の劣化を抑えるために、従来、様々な技術が提案されている。例えば、ワインボトル中に残ったワインと空気との接触を制限するワイン保護部材がある。このワイン保護部材は、外側周辺縁がワインボトルのボディ領域の内側断面サイズと近似して形成された第１状態から、ワインボトルのネック領域を通って挿入されるための第２状態に変形可能であり、一旦ボディ領域に入ると第１状態に戻り、ワインボトル中に残ったワインの液面上に配置される。【０００４】
ワイン保護部材は、第１柔軟シート材料と第２柔軟シート材料とを有している。第１柔軟シート材料は、第１ゾーン中に個別にほぼ密閉された複数のポケットを有し、いくつかのポケットは気体を含有している。第２柔軟シート材料は、概ね第１ゾーンの回りで密閉ラインを介して第１柔軟シート材料に封じられて密閉空間としての第１ゾーンを形成している。【０００５】
第１柔軟シート材料又は第２柔軟シート材料の一方又は双方は、ワイン保護部材の外側周辺縁を形成する放射状方向の外側縁を有している。放射状方向の外側縁は、密閉ラインにより規定された第１ゾーンを越えて放射状に伸張し、第１柔軟シート材料又は第２柔軟シート材料の少なくとも一方は、ほぼワイン不透性及び気体不透性を有している。【０００６】
また、このワイン保護部材は、第１ゾーンの周辺領域又はその近辺に位置づけられているポケットのいくつかに液体又はジェルが含有される場合もある（例えば、特許文献１参照。）。
【先行技術文献】
【特許文献】
【０００７】
【特許文献１】特許第５４６６２３１号公報（請求項１，請求項１１）
【発明の概要】
【発明が解決しようとする課題】
【０００８】
上記した従来例では、ワイン保護部材は、特許文献１の図２及び図４を参照すると、上面側に複数のポケットが形成され、下面側が略平坦状に形成されており、縦断面形状が上下非対称である。このワイン保護部材は、外側周辺縁がワインボトルのボディ領域の内側断面サイズと近似して形成された第１状態で、下面側がワイン液面上に配置されることにより、所定の機能を発揮するものと思われる。【０００９】
しかし、ワイン保護部材を、第１状態から、ワインボトルのネック領域を通るのに十分に収縮した第２状態になるまで直径線の回りで巻き上げた後、ボディ領域に投入しても、ワイン保護部材は、必ず第１状態に戻るとは限らず、一部がワイン内に沈んだ状態となる場合がある。また、ワイン保護部材は、第１状態に戻ったとしても必ず下面側がワイン液面上に配置されるわけではない。【００１０】
ワインボトルのネック領域はワインをグラスに注ぐのに必要最小限の内径しか有さないため、ワイン保護部材を一旦ボディ領域に投入してしまうと、第１状態に戻すことも、ワイン保護部材を上下反転させることもできなくなってしまう。この場合には、ワイン保護部材がワイン液面を十分に覆うことができないため、所定の機能を発揮することができない。【００１１】
この点、上記した従来例では、ワイン保護部材の第１ゾーンの周辺領域又はその近辺に位置づけられているポケットのいくつかに液体又はジェルが含有される場合もある。しかし、このように構成したからといって、必ずしも第１状態に戻るとは限らないし、必ずしも下面側がワイン液面上に配置されるわけではない。ポケットに含有された液体又はジェルの重みのために、却ってワイン保護部材の一部がワイン内に沈んだり、上下が逆転した状態でワイン液面上に配置されたりする場合があり得る。【００１２】
本発明は、上述した事情に鑑みてなされたものであり、上述のような問題を解決することを課題の一例とするものであり、これらの課題を解決することができる劣化防止部材を提供することを目的とする。
【課題を解決するための手段】
【００１３】
上記課題を解決するために、請求項１に記載の発明は、口部と、前記口部の内径と略等しい内径を有する首部と、前記首部の内径より大きい内径を有する胴部とを備えた容器に収容された内容物上に配置され、前記内容物の劣化を防止する劣化防止部材に係り、周縁部全体が前記胴部の横断面内側に近接又は当接するように形成され、前記口部から前記首部を経て前記胴部に挿入されるために変形可能であり、上部の縦断面形状が第１中心部を最高点として前記第１中心部から第１周縁部に向かって緩やかに下降する略山形状を呈するように形成され、下部の縦断面形状が第２中心部を最低点として前記第２中心部から第２周縁部に向かって緩やかに上昇する略逆山形状を呈するように形成されていることを特徴としている。【００１４】
また、請求項２に記載の発明は、請求項１に記載の発明に係り、前記上部と前記下部との間に少なくとも１つの空間部が形成され、前記少なくとも１つの空間部に気体が封入されていることを特徴としている。【００１５】
また、請求項３に記載の発明は、請求項２に記載の発明に係り、前記上部は、前記第１中心部が最も厚く、前記第１中心部から前記第１周縁部に向かって徐々に薄くなるように形成され、前記下部は、前記第２中心部が最も厚く、前記第２中心部から前記第２周縁部に向かって徐々に薄くなるように形成されていることを特徴としている。【００１６】
また、請求項４に記載の発明は、請求項１に記載の発明に係り、前記第１中心部及び前記第２中心部と前記第１周縁部及び前記第２周縁部との間に、放射状又は渦巻き状に、線状又は紐状のものあるいはチューブ状のものが内蔵されていることを特徴としている。【００１７】
また、請求項５に記載の発明は、請求項１に記載の発明に係り、前記第１周縁部及び前記第２周縁部から前記第１中心部及び前記第２中心部に向かって伸張する切り込みが所定間隔で複数形成されていることを特徴としている。【００１８】
また、請求項６に記載の発明は、請求項１に記載の発明に係り、前記上部と前記下部との間にガスバリア性を有するフィルム又は金属箔のいずれか一方又は両方が挿入されていることを特徴としている。
【発明の効果】
【００１９】
本発明によれば、簡単かつ安価な構成で容器開封後の内容物の味や香り、風味等の劣化を抑えることができる。
【図面の簡単な説明】
【００２０】
【図１】本発明の実施の形態１に係る劣化防止部材の構造を示す正面図である。
【図２】図１に示す劣化防止部材の平面図である。
【図３】図２のＡ−Ａ’断面図である。
【図４】図１に示す劣化防止部材の使用の一例を示す概略断面図である。
【発明を実施するための形態】
【００２１】
以下、図面を参照して本発明を実施するための形態について説明する。
実施の形態１．
図１は本発明の実施の形態１に係る劣化防止部材１の構造を示す正面図、図２は図１に示す劣化防止部材の平面図、図３は図２のＡ−Ａ’断面図である。本実施の形態１に係る劣化防止部材１は、上部１１と下部１２とからなる。劣化防止部材１は、平面形状が略円形状を呈している。また、劣化防止部材１は、上部１１の縦断面形状と下部１２の縦断面形状は同一形状を呈している。
【００２２】
上部１１の縦断面形状は、中心部１１ａを最高点として、中心部１１ａから周縁部１１ｂに向かって緩やかに下降する略山形状を呈している。一方、下部１２の縦断面形状は、中心部１２ａを最低点として、中心部１２ａから周縁部１２ｂに向かって緩やかに上昇する略逆山形状を呈している。すなわち、劣化防止部材１の縦断面形状は、上下及び左右がいずれも対称であり、丸みを帯びた略菱形状を呈している。
【００２３】
また、上部１１の縦断面形状は、中心部１１ａの厚さが最も厚く、中心部１１ａから周縁部１１ｂに向かってその厚さが徐々に薄くなるように形成されている。一方、下部１２の縦断面形状は、中心部１２ａの厚さが最も厚く、中心部１２ａから周縁部１２ｂに向かってその厚さが徐々に薄くなるように形成されている。このように構成することにより、劣化防止部材１の重心は、中心部１１ａと中心部１１ｂとを通る軸線上に位置する。
【００２４】
上部１１の下面１１ｃと、下部１２の上面１２ｃとの間には、空間部１３が形成されている。空間部１３には、例えば、空気又は、窒素若しくはアルゴンなどの不活性ガスからなる気体が封入されている。上部１１と下部１２とは、一体に形成されていても、接着又は溶着等されていても良い。
【００２５】
劣化防止部材１は、図１〜図３に示すような展開された状態において、外周縁の形状及び寸法が、品質等の劣化防止をすべき内容物が収容される容器の横断面内側の形状及び寸法に略等しいことが好ましい。例えば、容器がワインボトル（容量：７５０ｍｌ）の場合、横断面形状はいずれも略円形状を呈しているが、縦断面形状は異なっており、代表的なものとして、ボルドー型（外径８０ｍｍ）、ブルゴーニュ型（外径９０ｍｍ）、シャンパン型（外径９０ｍｍ）などがある。また、同型のワインボトルでも、寸法にバラツキがあることが多いので、これらを考慮して劣化防止部材１の展開された状態における外周縁の形状及び寸法を設定する必要がある。
【００２６】
次に、上記した構造を備えた劣化防止部材１の素材について説明する。上部１１及び下部１２は、いずれも同一の素材であることが好ましい。劣化防止部材１の素材に要求される特徴として、例えば、以下の点があげられる。
【００２７】
（１）劣化防止部材１を、容器の首部を通るのに十分に収縮した状態になるまで劣化防止部材１の直径線の回りで巻き上げた後、容器に投入した際、容器内で十分に展開すること。すなわち、ある程度の柔軟性と弾力性があること。
（２）劣化防止部材１の比重が容器内に収容される内容物の比重と同じ程度かより低いこと。すなわち、劣化防止部材１が内容物内に沈み込まないことであり、内容物が液体である場合には、劣化防止部材１についてある程度の浮力を維持できる素材であること。
【００２８】
（３）内容物が食品や化粧品など、人体に直接関わるもの（以下「食品等」と略す。）である場合には、安全性が高いこと。
（４）内容物が食品等である場合には、抗菌性があること。
（５）内容物が食品等である場合には、無味無臭であること。
（６）液体及び気体に対してほぼ不透性を有すること。
（７）不活性度が高いこと。すなわち、劣化防止部材１が内容物と反応したり、空気、酸素などと反応したりしにくいこと。
（８）ガスバリア性を有すること。
【００２９】
上記特徴を備えた素材としては、例えば、ポリプロピレン又はポリエチレン等、これらの樹脂あるいは他の樹脂とのブレンド物、あるいは、シリコンゴムなどがある。例えば、容器内に保存すべき内容物がワインの場合、その比重が通常０．９５〜０．９９５程度であるので、劣化防止部材１をワインの液面上に確実に配置するための浮力を確保するには、ワインの比重と同じ程度かより低いものが好ましい。ポリプロピレンの比重は０．９０〜０．９１、ポリエチレンの比重は０．９１〜０．９７、シリコンゴムの比重は０．９５〜０．９８である。
【００３０】
なお、上記特徴は、上部１１及び下部１２自体が有していない場合には、上記特徴を有する素材を劣化防止部材１の表面にコーティングしたり、上記特徴を有する素材で劣化防止部材１全体を覆うようにしたりしても良い。例えば、上部１１及び下部１２に使用される素材がガスバリア性を有していない場合には、劣化防止部材１全体にＤＬＣ（Diamond-Like Carbon）をコーティングしたり、劣化防止部材１全体をガスバリア性を有するフィルムで覆ったりしても良い。
【００３１】
次に、上記構造を備えた劣化防止部材１の使用方法の一例について、図４を参照して説明する。図４は、ワインボトル２１中に残ったワイン２２の劣化を防止するために劣化防止部材１を使用する例を示している。
【００３２】
まず、ワインボトル２１に収容されたワイン２２は、購入時においては、図４に示すワインボトル２１の首部２１ｂ下方から肩部２１ｃの間にまで満たされている。そして、ワイン２２の購入者が当該ワイン２２を飲み残すことにより、ワインボトル２１に残ったワイン２２が胴部２１ｄの中間部やや上方付近まで減少したとする。
【００３３】
そこで、購入者は、ワインボトル２１を卓上に置き、劣化防止部材１を、ワインボトル２１の口部２１ａ及び首部２１ｂ（例えば、内径約２０ｍｍ）を通るのに十分に収縮した状態になるまで劣化防止部材１の直径線の回りで巻き上げた後、ワインボトル２１の口部２１ａから投入する。
【００３４】
これにより、劣化防止部材１は、ワインボトル２１内で展開してワイン２２の液面上に配置される。劣化防止部材１は縦断面形状が上下対称であるので、上部１１又は下部１２のいずれの表面がワイン２２の液面上に配置された場合でも、所定の機能を発揮する。また、劣化防止部材１の重心が中心部１１ａと中心部１１ｂとを通る軸線上に位置しているので、劣化防止部材１は展開してワイン２２の液面上に配置される。
【００３５】
なお、劣化防止部材１をワインボトル２１に投入した際、劣化防止部材１が十分に展開しない場合には、ワインボトル２１を手で把持して円を描くように数回ゆっくり振ることにより、劣化防止部材１は展開して下部１２又は上部１１のいずれかの表面全体がワイン２２の液面上に配置される。
【００３６】
この際、上部１１が上方に向けられている場合には中心部１１ａが最高点であり、下部１２が上方に向けられている場合には中心部１２ａが最高点である。したがって、一旦上部１１又は下部１２の一部がワイン２２に浸ったとしても、上部１１又は下部１２からワイン２２が速やかに流れ落ちるため、上部１１又は下部１２の一部がワイン２２に浸った状態が保持される虞は少ない。
【００３７】
劣化防止部材１を投入したワインボトル２１から残ったワイン２２をワイングラスに注ぐ場合には、ワインボトル２１を傾ければ、劣化防止部材１はワイン２２の液面上に配置されたままであるので、ワイン２２をワイングラスに注ぐのに何ら支障はない。したがって、購入者は、ワインボトル２１を開封した後直ちに劣化防止部材１をワインボトル２１に投入しても良い。このようにすれば、残っているワイン２２と空気との接触を常に最小限に抑えることができる。
【００３８】
すなわち、本発明の実施の形態１によれば、簡単かつ安価な構成でワインボトル２１開封後のワイン２２の酸化又は、味や香り、風味等の劣化を抑えることができる。このため、飲み残しのワイン２２をその品質を維持しつつ、一定期間保存することができる。
【００３９】
実施の形態２．
上述の実施の形態１では、劣化防止部材１を上部１１及び下部１２だけで構成する例を示したが、これに限定されない。中心部１１ａ及び中心部１２ａと周縁部１１ｂ及び周縁部１２ｂとの間に、例えば、放射状又は渦巻き状に、線状又は紐状のものあるいはチューブ状のものを内蔵しても良い。チューブ状のものは、内部に空気又は不活性ガスを注入した後、両端を閉じることが好ましい。また、線状又は紐状のものあるいはチューブ状のものは、ある程度の柔軟性と弾力性がある素材を用いる。
【００４０】
このように構成すれば、劣化防止部材１を巻き上げた状態でワインボトル２１に投入した際にワインボトル２１内で常に十分展開させることができる。さらに、チューブ状のものを用いた場合には、劣化防止部材１全体の浮力が増加するため、空間部１３を形成することなく、劣化防止部材１の一部又は全部がワイン２２内に沈むことを防止することができる。また、チューブ状のものを用いた場合には、上部１１及び下部１２の素材として、内容物の比重より多少大きい比重の素材を用いることができる。
【００４１】
実施の形態３．
上述の実施の形態１では、上部１１の下面１１ｃと、下部１２の上面１２ｃとの間に１つの空間部１３を形成する例を示したが、これに限定されない。例えば、劣化防止部材１を構成する素材の比重が、容器に収容する内容物の比重に比べてかなり小さい場合には、空間部１３を形成しなくても良い。このように構成すれば、劣化防止部材１を形成するための金型等を安価に製造できるため、劣化防止部材１も安価に製造することができる。
【００４２】
これに対し、複数の空間部１３を形成しても良い。この場合、上部１１の中心部１１ａ近傍の下面１１ｃと、下部１２の中心部１２ａ近傍の上面１２ｃとの間には空間部１３を形成せず、中心部１１ａ周辺と中心部１２ａ周辺との間に複数の空間部１３を所定間隔を置いて形成しても良い。この場合には、上部１１及び下部１２の素材として、内容物の比重より多少大きい比重の素材を用いることができる。
【００４３】
実施の形態４．
上述の実施の形態１では、周縁部１１ｂ及び周縁部１２ｂには何ら形成しない例を示したが、これに限定されない。例えば、周縁部１１ｂ及び周縁部１２ｂから中心部１１ａ及び中心部１２ａに向かって伸張する切り込みを所定間隔で複数形成しても良い。この場合、切り込みは周縁部１１ｂ及び周縁部１２ｂから中心部１１ａ及び中心部１２ａに直線的に伸張するのではなく、曲線的に伸張するように形成した方が良い。
【００４４】
このように構成すれば、容器の横断面寸法にバラツキがあった場合でも、劣化防止部材１周縁部全体が容器の横断面内側に近接又は当接する。例えば、容器の横断面寸法が劣化防止部材１の最大径よりも小さい場合には、周縁部１１ｂ及び周縁部１２ｂのうち、切り込みで切断された隣接部分同士の一部が重なりあって容器の横断面内側に当接するのである。切り込みは、容器の横断面寸法のバラツキに相当する長さにすることが好ましい。
【００４５】
実施の形態５．
上述の実施の形態１では、空間部１３を形成するとともに、上部１１の縦断面形状を中心部１１ａの厚さが最も厚く、中心部１１ａから周縁部１１ｂに向かってその厚さが徐々に薄くなるように形成する一方、下部１２の縦断面形状を中心部１２ａの厚さが最も厚く、中心部１２ａから周縁部１２ｂに向かってその厚さが徐々に薄くなるように形成することにより、劣化防止部材１の重心を中心部１１ａと中心部１１ｂとを通る軸線上に位置させる例を示したが、これに限定されない。
【００４６】
例えば、空間部１３を形成するとともに、上部１１の縦断面形状及び下部１２の縦断面形状の厚さを位置に応じて変えずに、劣化防止部材１の重心を中心部１１ａと中心部１１ｂとを通る軸線上に位置させるために、中心部１１ａ又は中心部１１ｂのいずれか一方又は両方に、比重が容器に収容される内容物の比重以上のおもりを埋設又は外付けしても良い。このように構成すれば、劣化防止部材１を形成するための金型等を安価に製造できるため、劣化防止部材１も安価に製造することができる。
【００４７】
実施の形態６．
上述の実施の形態１では、上部１１及び下部１２に使用される素材がガスバリア性を有していない場合、劣化防止部材１全体にＤＬＣをコーティングしたり、劣化防止部材１全体をガスバリア性を有するフィルムで覆ったりする例を示したが、これに限定されない。
【００４８】
例えば、劣化防止部材１は、上部１１と下部１２を別々に形成するとともに、上部１１と下部１２との間にガスバリア性を有するフィルム又は金属箔のいずれか一方又は両方を挿入して互いに接着又は溶着等して構成しても良い。ガスバリア性を有するフィルムとしては、第１に、基材と、この基材に積層された層とを含む多層構造体で構成されているものがある。基材の材料としては、ポリエチレン、ポリプロピレン、ポリエチレンテレフタレート、ナイロン−６及びナイロン−６６からなる群より選ばれる少なくとも１種の熱可塑性樹脂が好ましい。層の材料としては、アルミニウムを含む金属酸化物と無機リン化合物との反応生成物を含んでいる。
【００４９】
ガスバリア性を有するフィルムとしては、第２に、ポリアミド樹脂（ＰＡ）層又はエチレン−酢酸ビニル共重合体けん化物（ＥＶＯＨ）層、若しくはＰＡとＥＶＯＨの混合樹脂層から構成されているものもある。このフィルムは、単層でも複層でも良い。
【００５０】
上記ポリアミド樹脂は、特に限定されないが、ガスバリア性や耐ピンホール性の観点からナイロン系樹脂（Ｎｙ）を用いることが好ましい。例えば、６ナイロン、６６ナイロン、６９ナイロン、６−６６ナイロン、１２ナイロン、１１ナイロン、６１０ナイロン、６１２ナイロン、６Ｉ−６Ｔナイロン、ＭＸＤ６ナイロン、等の縮合単位の重合体又はこれら２種以上との共重合体、さらにはこれらの混合物を挙げることができる。中でもガスバリア性の高いＭＸＤ６ナイロンや耐ピンホール性の高い６ナイロンや６−６６ナイロンを用いることが好ましい。一方、上記ＥＶＯＨ樹脂は、エチレン含有量が３０〜６０モル％、けん化度が９５％以上のものが、成形性やガスバリア性の点から好ましい。
【００５１】
一方、金属箔の金属として、アルミニウムが主として用いられるが、その他亜鉛、スズ、銅、ステンレス等も使用することができる。劣化防止部材１の上部１１と下部１２との間に金属箔を挿入した場合、ガスバリア性を有するとともに、劣化防止部材１を容器に投入した際、容器内で十分に展開して元の形状に戻るため、劣化防止部材１の表面全体がワイン２２の液面上に配置されやすい。
【００５２】
以上、本発明の各実施の形態について図面を参照して詳述してきたが、具体的な構成はこれらの実施の形態に限られるものではなく、本発明の要旨を逸脱しない範囲の設計の変更等があっても本発明に含まれる。
【００５３】
例えば、上述の各実施の形態では、劣化防止部材１の平面形状が略円形状を呈している例を示したが、これに限定されない。劣化防止部材１の平面形状は、要するに、容器の横断面内側の形状に近似していれば良い。すなわち、容器の横断面内側の形状が略楕円形状の他、略四角形状又は略六角形状等の略多角形状を呈していれば、劣化防止部材１の平面形状もそれらの形状に近似した、略楕円形状、略四角形状又は略六角形状等の略多角形状を呈していれば良い。同様に、劣化防止部材１の平面寸法も、容器の横断面内側の寸法に近似していれば良い。つまり、劣化防止部材１の平面形状及び寸法は、周縁部１１ｂ及び１２ｂ全体が容器の横断面内側に近接又は当接するように形成されていれば良い。
【００５４】
また、上述の各実施の形態では、容器に収容される内容物がワイン２２である例を示したが、内容物は、ワイン２２等の飲料に限定されず、飲用以外の液体（例えば、液体調味料、ドレッシング、食用油等、化粧品、薬品）、あるいは粉体又は粒体でも良い。内容物が揮発性を有する場合には揮発による量の減少や濃度が高くなることなどを最小限に抑えることができる。
【００５５】
また、上述の各実施の形態では、容器開封後に容器に劣化防止部材１を挿入する例を示したが、これに限定されず、容器に内容物を充填した後容器を密閉する前に劣化防止部材１を挿入して内容物上に配置しても良い。このように構成すれば、購入者は手間がはぶけるとともに、容器開封直後から内容物の劣化を防止することができる。
【００５６】
また、上述の各実施の形態は、その目的及び構成等に特に矛盾や問題がない限り、互いの技術を流用することができる。
【符号の説明】
【００５７】
１…劣化防止部材、１１…上部、１１ａ…中心部（第１中心部）、１１ｂ…周縁部（第１周縁部）、１１ｃ…下面、１２…下部、１２ａ…中心部（第２中心部）、１２ｂ…周縁部（第２周縁部）、１２ｃ…上面、１３…空間部、２１…ワインボトル、２１ａ…口部、２１ｂ…首部、２１ｃ…肩部、２１ｄ…胴部、２２…ワイン
【図１】
2017082383.tif 000003
【図２】
2017082383.tif 000004
【図３】
2017082383.tif 000005
【図４】
2017082383.tif 000006
【手続補正書】
【提出日】平成29年6月1日(2017.6.1)
【手続補正１】
【補正対象書類名】特許請求の範囲
【補正対象項目名】全文
【補正方法】変更
【補正の内容】
【特許請求の範囲】
【請求項１】
口部と、前記口部の内径と略等しい内径を有する首部と、前記首部の内径より大きい内径を有する胴部とを備えた容器に収容された内容物上に配置され、前記内容物の劣化を防止する劣化防止部材であって、
周縁部全体が前記胴部の横断面内側に近接又は当接するように形成され、前記口部から前記首部を経て前記胴部に挿入されるために巻き上げ可能であり、
上部の縦断面形状が第１中心部を最高点として前記第１中心部から第１周縁部に向かって緩やかに下降する略山形状を呈するように形成され、
下部の縦断面形状が第２中心部を最低点として前記第２中心部から第２周縁部に向かって緩やかに上昇する略逆山形状を呈するように形成され、
前記上部と前記下部との間にガスバリア性を有するフィルム又は金属箔のいずれか一方又は両方が挿入されている
ことを特徴とする劣化防止部材。
【請求項２】
前記上部と前記下部との間に少なくとも１つの空間部が形成され、前記少なくとも１つの空間部に気体が封入されている
ことを特徴とする請求項１に記載の劣化防止部材。
【請求項３】
前記上部は、前記第１中心部が最も厚く、前記第１中心部から前記第１周縁部に向かって徐々に薄くなるように形成され、
前記下部は、前記第２中心部が最も厚く、前記第２中心部から前記第２周縁部に向かって徐々に薄くなるように形成されている
ことを特徴とする請求項２に記載の劣化防止部材。
【請求項４】
前記第１中心部及び前記第２中心部と前記第１周縁部及び前記第２周縁部との間に、放射状又は渦巻き状に、線状又は紐状のものあるいはチューブ状のものが内蔵されている
ことを特徴とする請求項１乃至３のいずれかに記載の劣化防止部材。
【請求項５】
前記第１周縁部及び前記第２周縁部から前記第１中心部及び前記第２中心部に向かって曲線的に伸張する切り込みが所定間隔で複数形成されている
ことを特徴とする請求項１乃至４のいずれかに記載の劣化防止部材。
【手続補正２】
【補正対象書類名】明細書
【補正対象項目名】全文
【補正方法】変更
【補正の内容】
【発明の詳細な説明】
【技術分野】
【０００１】
本発明は、液体や粒体、粉体等の内容物を収容する容器に挿入され、内容物の品質等が劣化することを防止する劣化防止部材に関する。
【背景技術】
【０００２】
酒類や清涼飲料水、乳酸菌飲料、牛乳等の飲料、又は、醤油、酢、みりん、魚醤、たれ、つゆ、ウスターソースなどの液体調味料、ドレッシング、食用油等は、様々な材質や形状、容積等を有する容器に収容され、密封されて市販されている。これらの容器内の内容物は、購入後、容器が開封されれば、時間が経てば経つほど、味や香り、風味等が変化していく。この変化は、例えば、内容物を構成する成分の酸化、内容物の生成過程で発生又は混入した酢酸菌等の各種菌類の繁殖、内容物の生成過程で発生又は圧入した二酸化炭素等の揮発物質の揮発などに起因している。
【０００３】
このような容器開封後の内容物の味や香り、風味等の劣化を抑えるために、従来、様々な技術が提案されている。例えば、ワインボトル中に残ったワインと空気との接触を制限するワイン保護部材がある。このワイン保護部材は、外側周辺縁がワインボトルのボディ領域の内側断面サイズと近似して形成された第１状態から、ワインボトルのネック領域を通って挿入されるための第２状態に変形可能であり、一旦ボディ領域に入ると第１状態に戻り、ワインボトル中に残ったワインの液面上に配置される。
【０００４】
ワイン保護部材は、第１柔軟シート材料と第２柔軟シート材料とを有している。第１柔軟シート材料は、第１ゾーン中に個別にほぼ密閉された複数のポケットを有し、いくつかのポケットは気体を含有している。第２柔軟シート材料は、概ね第１ゾーンの回りで密閉ラインを介して第１柔軟シート材料に封じられて密閉空間としての第１ゾーンを形成している。
【０００５】
第１柔軟シート材料又は第２柔軟シート材料の一方又は双方は、ワイン保護部材の外側周辺縁を形成する放射状方向の外側縁を有している。放射状方向の外側縁は、密閉ラインにより規定された第１ゾーンを越えて放射状に伸張し、第１柔軟シート材料又は第２柔軟シート材料の少なくとも一方は、ほぼワイン不透性及び気体不透性を有している。
【０００６】
また、このワイン保護部材は、第１ゾーンの周辺領域又はその近辺に位置づけられているポケットのいくつかに液体又はジェルが含有される場合もある（例えば、特許文献１参照。）。
【先行技術文献】
【特許文献】
【０００７】
【特許文献１】特許第５４６６２３１号公報（請求項１，請求項１１）
【発明の概要】
【発明が解決しようとする課題】
【０００８】
上記した従来例では、ワイン保護部材は、特許文献１の図２及び図４を参照すると、上面側に複数のポケットが形成され、下面側が略平坦状に形成されており、縦断面形状が上下非対称である。このワイン保護部材は、外側周辺縁がワインボトルのボディ領域の内側断面サイズと近似して形成された第１状態で、下面側がワイン液面上に配置されることにより、所定の機能を発揮するものと思われる。
【０００９】
しかし、ワイン保護部材を、第１状態から、ワインボトルのネック領域を通るのに十分に収縮した第２状態になるまで直径線の回りで巻き上げた後、ボディ領域に投入しても、ワイン保護部材は、必ず第１状態に戻るとは限らず、一部がワイン内に沈んだ状態となる場合がある。また、ワイン保護部材は、第１状態に戻ったとしても必ず下面側がワイン液面上に配置されるわけではない。
【００１０】
ワインボトルのネック領域はワインをグラスに注ぐのに必要最小限の内径しか有さないため、ワイン保護部材を一旦ボディ領域に投入してしまうと、第１状態に戻すことも、ワイン保護部材を上下反転させることもできなくなってしまう。この場合には、ワイン保護部材がワイン液面を十分に覆うことができないため、所定の機能を発揮することができない。
【００１１】
この点、上記した従来例では、ワイン保護部材の第１ゾーンの周辺領域又はその近辺に位置づけられているポケットのいくつかに液体又はジェルが含有される場合もある。しかし、このように構成したからといって、必ずしも第１状態に戻るとは限らないし、必ずしも下面側がワイン液面上に配置されるわけではない。ポケットに含有された液体又はジェルの重みのために、却ってワイン保護部材の一部がワイン内に沈んだり、上下が逆転した状態でワイン液面上に配置されたりする場合があり得る。
【００１２】
本発明は、上述した事情に鑑みてなされたものであり、上述のような問題を解決することを課題の一例とするものであり、これらの課題を解決することができる劣化防止部材を提供することを目的とする。
【課題を解決するための手段】
【００１３】
上記課題を解決するために、請求項１に記載の発明は、口部と、前記口部の内径と略等しい内径を有する首部と、前記首部の内径より大きい内径を有する胴部とを備えた容器に収容された内容物上に配置され、前記内容物の劣化を防止する劣化防止部材に係り、周縁部全体が前記胴部の横断面内側に近接又は当接するように形成され、前記口部から前記首部を経て前記胴部に挿入されるために巻き上げ可能であり、上部の縦断面形状が第１中心部を最高点として前記第１中心部から第１周縁部に向かって緩やかに下降する略山形状を呈するように形成され、下部の縦断面形状が第２中心部を最低点として前記第２中心部から第２周縁部に向かって緩やかに上昇する略逆山形状を呈するように形成され、前記上部と前記下部との間にガスバリア性を有するフィルム又は金属箔のいずれか一方又は両方が挿入されていることを特徴としている。
【００１４】
また、請求項２に記載の発明は、請求項１に記載の発明に係り、前記上部と前記下部との間に少なくとも１つの空間部が形成され、前記少なくとも１つの空間部に気体が封入されていることを特徴としている。
【００１５】
また、請求項３に記載の発明は、請求項２に記載の発明に係り、前記上部は、前記第１中心部が最も厚く、前記第１中心部から前記第１周縁部に向かって徐々に薄くなるように形成され、前記下部は、前記第２中心部が最も厚く、前記第２中心部から前記第２周縁部に向かって徐々に薄くなるように形成されていることを特徴としている。
【００１６】
また、請求項４に記載の発明は、請求項１乃至３のいずれかに記載の発明に係り、前記第１中心部及び前記第２中心部と前記第１周縁部及び前記第２周縁部との間に、放射状又は渦巻き状に、線状又は紐状のものあるいはチューブ状のものが内蔵されていることを特徴としている。
【００１７】
また、請求項５に記載の発明は、請求項１乃至４のいずれかに記載の発明に係り、前記第１周縁部及び前記第２周縁部から前記第１中心部及び前記第２中心部に向かって曲線的に伸張する切り込みが所定間隔で複数形成されていることを特徴としている。
【発明の効果】
【００１８】
本発明によれば、簡単かつ安価な構成で容器開封後の内容物の味や香り、風味等の劣化を抑えることができる。
【図面の簡単な説明】
【００１９】
【図１】本発明の実施の形態１に係る劣化防止部材の構造を示す正面図である。
【図２】図１に示す劣化防止部材の平面図である。
【図３】図２のＡ−Ａ’断面図である。
【図４】図１に示す劣化防止部材の使用の一例を示す概略断面図である。
【発明を実施するための形態】
【００２０】
以下、図面を参照して本発明を実施するための形態について説明する。
実施の形態１．
図１は本発明の実施の形態１に係る劣化防止部材１の構造を示す正面図、図２は図１に示す劣化防止部材の平面図、図３は図２のＡ−Ａ’断面図である。本実施の形態１に係る劣化防止部材１は、上部１１と下部１２とからなる。劣化防止部材１は、平面形状が略円形状を呈している。また、劣化防止部材１は、上部１１の縦断面形状と下部１２の縦断面形状は同一形状を呈している。
【００２１】
上部１１の縦断面形状は、中心部１１ａを最高点として、中心部１１ａから周縁部１１ｂに向かって緩やかに下降する略山形状を呈している。一方、下部１２の縦断面形状は、中心部１２ａを最低点として、中心部１２ａから周縁部１２ｂに向かって緩やかに上昇する略逆山形状を呈している。すなわち、劣化防止部材１の縦断面形状は、上下及び左右がいずれも対称であり、丸みを帯びた略菱形状を呈している。
【００２２】
また、上部１１の縦断面形状は、中心部１１ａの厚さが最も厚く、中心部１１ａから周縁部１１ｂに向かってその厚さが徐々に薄くなるように形成されている。一方、下部１２の縦断面形状は、中心部１２ａの厚さが最も厚く、中心部１２ａから周縁部１２ｂに向かってその厚さが徐々に薄くなるように形成されている。このように構成することにより、劣化防止部材１の重心は、中心部１１ａと中心部１１ｂとを通る軸線上に位置する。
【００２３】
上部１１の下面１１ｃと、下部１２の上面１２ｃとの間には、空間部１３が形成されている。空間部１３には、例えば、空気又は、窒素若しくはアルゴンなどの不活性ガスからなる気体が封入されている。上部１１と下部１２とは、一体に形成されていても、接着又は溶着等されていても良い。
【００２４】
劣化防止部材１は、図１〜図３に示すような展開された状態において、外周縁の形状及び寸法が、品質等の劣化防止をすべき内容物が収容される容器の横断面内側の形状及び寸法に略等しいことが好ましい。例えば、容器がワインボトル（容量：７５０ｍｌ）の場合、横断面形状はいずれも略円形状を呈しているが、縦断面形状は異なっており、代表的なものとして、ボルドー型（外径８０ｍｍ）、ブルゴーニュ型（外径９０ｍｍ）、シャンパン型（外径９０ｍｍ）などがある。また、同型のワインボトルでも、寸法にバラツキがあることが多いので、これらを考慮して劣化防止部材１の展開された状態における外周縁の形状及び寸法を設定する必要がある。
【００２５】
次に、上記した構造を備えた劣化防止部材１の素材について説明する。上部１１及び下部１２は、いずれも同一の素材であることが好ましい。劣化防止部材１の素材に要求される特徴として、例えば、以下の点があげられる。
【００２６】
（１）劣化防止部材１を、容器の首部を通るのに十分に収縮した状態になるまで劣化防止部材１の直径線の回りで巻き上げた後、容器に投入した際、容器内で十分に展開すること。すなわち、ある程度の柔軟性と弾力性があること。
（２）劣化防止部材１の比重が容器内に収容される内容物の比重と同じ程度かより低いこと。すなわち、劣化防止部材１が内容物内に沈み込まないことであり、内容物が液体である場合には、劣化防止部材１についてある程度の浮力を維持できる素材であること。
【００２７】
（３）内容物が食品や化粧品など、人体に直接関わるもの（以下「食品等」と略す。）である場合には、安全性が高いこと。
（４）内容物が食品等である場合には、抗菌性があること。
（５）内容物が食品等である場合には、無味無臭であること。
（６）液体及び気体に対してほぼ不透性を有すること。
（７）不活性度が高いこと。すなわち、劣化防止部材１が内容物と反応したり、空気、酸素などと反応したりしにくいこと。
（８）ガスバリア性を有すること。
【００２８】
上記特徴を備えた素材としては、例えば、ポリプロピレン又はポリエチレン等、これらの樹脂あるいは他の樹脂とのブレンド物、あるいは、シリコンゴムなどがある。例えば、容器内に保存すべき内容物がワインの場合、その比重が通常０．９５〜０．９９５程度であるので、劣化防止部材１をワインの液面上に確実に配置するための浮力を確保するには、ワインの比重と同じ程度かより低いものが好ましい。ポリプロピレンの比重は０．９０〜０．９１、ポリエチレンの比重は０．９１〜０．９７、シリコンゴムの比重は０．９５〜０．９８である。
【００２９】
なお、上記特徴は、上部１１及び下部１２自体が有していない場合には、上記特徴を有する素材を劣化防止部材１の表面にコーティングしたり、上記特徴を有する素材で劣化防止部材１全体を覆うようにしたりしても良い。例えば、上部１１及び下部１２に使用される素材がガスバリア性を有していない場合には、劣化防止部材１全体にＤＬＣ（Diamond-Like Carbon）をコーティングしたり、劣化防止部材１全体をガスバリア性を有するフィルムで覆ったりしても良い。
【００３０】
次に、上記構造を備えた劣化防止部材１の使用方法の一例について、図４を参照して説明する。図４は、ワインボトル２１中に残ったワイン２２の劣化を防止するために劣化防止部材１を使用する例を示している。
【００３１】
まず、ワインボトル２１に収容されたワイン２２は、購入時においては、図４に示すワインボトル２１の首部２１ｂ下方から肩部２１ｃの間にまで満たされている。そして、ワイン２２の購入者が当該ワイン２２を飲み残すことにより、ワインボトル２１に残ったワイン２２が胴部２１ｄの中間部やや上方付近まで減少したとする。
【００３２】
そこで、購入者は、ワインボトル２１を卓上に置き、劣化防止部材１を、ワインボトル２１の口部２１ａ及び首部２１ｂ（例えば、内径約２０ｍｍ）を通るのに十分に収縮した状態になるまで劣化防止部材１の直径線の回りで巻き上げた後、ワインボトル２１の口部２１ａから投入する。
【００３３】
これにより、劣化防止部材１は、ワインボトル２１内で展開してワイン２２の液面上に配置される。劣化防止部材１は縦断面形状が上下対称であるので、上部１１又は下部１２のいずれの表面がワイン２２の液面上に配置された場合でも、所定の機能を発揮する。また、劣化防止部材１の重心が中心部１１ａと中心部１１ｂとを通る軸線上に位置しているので、劣化防止部材１は展開してワイン２２の液面上に配置される。
【００３４】
なお、劣化防止部材１をワインボトル２１に投入した際、劣化防止部材１が十分に展開しない場合には、ワインボトル２１を手で把持して円を描くように数回ゆっくり振ることにより、劣化防止部材１は展開して下部１２又は上部１１のいずれかの表面全体がワイン２２の液面上に配置される。
【００３５】
この際、上部１１が上方に向けられている場合には中心部１１ａが最高点であり、下部１２が上方に向けられている場合には中心部１２ａが最高点である。したがって、一旦上部１１又は下部１２の一部がワイン２２に浸ったとしても、上部１１又は下部１２からワイン２２が速やかに流れ落ちるため、上部１１又は下部１２の一部がワイン２２に浸った状態が保持される虞は少ない。
【００３６】
劣化防止部材１を投入したワインボトル２１から残ったワイン２２をワイングラスに注ぐ場合には、ワインボトル２１を傾ければ、劣化防止部材１はワイン２２の液面上に配置されたままであるので、ワイン２２をワイングラスに注ぐのに何ら支障はない。したがって、購入者は、ワインボトル２１を開封した後直ちに劣化防止部材１をワインボトル２１に投入しても良い。このようにすれば、残っているワイン２２と空気との接触を常に最小限に抑えることができる。
【００３７】
すなわち、本発明の実施の形態１によれば、簡単かつ安価な構成でワインボトル２１開封後のワイン２２の酸化又は、味や香り、風味等の劣化を抑えることができる。このため、飲み残しのワイン２２をその品質を維持しつつ、一定期間保存することができる。
【００３８】
実施の形態２．
上述の実施の形態１では、劣化防止部材１を上部１１及び下部１２だけで構成する例を示したが、これに限定されない。中心部１１ａ及び中心部１２ａと周縁部１１ｂ及び周縁部１２ｂとの間に、例えば、放射状又は渦巻き状に、線状又は紐状のものあるいはチューブ状のものを内蔵しても良い。チューブ状のものは、内部に空気又は不活性ガスを注入した後、両端を閉じることが好ましい。また、線状又は紐状のものあるいはチューブ状のものは、ある程度の柔軟性と弾力性がある素材を用いる。
【００３９】
このように構成すれば、劣化防止部材１を巻き上げた状態でワインボトル２１に投入した際にワインボトル２１内で常に十分展開させることができる。さらに、チューブ状のものを用いた場合には、劣化防止部材１全体の浮力が増加するため、空間部１３を形成することなく、劣化防止部材１の一部又は全部がワイン２２内に沈むことを防止することができる。また、チューブ状のものを用いた場合には、上部１１及び下部１２の素材として、内容物の比重より多少大きい比重の素材を用いることができる。
【００４０】
実施の形態３．
上述の実施の形態１では、上部１１の下面１１ｃと、下部１２の上面１２ｃとの間に１つの空間部１３を形成する例を示したが、これに限定されない。例えば、劣化防止部材１を構成する素材の比重が、容器に収容する内容物の比重に比べてかなり小さい場合には、空間部１３を形成しなくても良い。このように構成すれば、劣化防止部材１を形成するための金型等を安価に製造できるため、劣化防止部材１も安価に製造することができる。
【００４１】
これに対し、複数の空間部１３を形成しても良い。この場合、上部１１の中心部１１ａ近傍の下面１１ｃと、下部１２の中心部１２ａ近傍の上面１２ｃとの間には空間部１３を形成せず、中心部１１ａ周辺と中心部１２ａ周辺との間に複数の空間部１３を所定間隔を置いて形成しても良い。この場合には、上部１１及び下部１２の素材として、内容物の比重より多少大きい比重の素材を用いることができる。
【００４２】
実施の形態４．
上述の実施の形態１では、周縁部１１ｂ及び周縁部１２ｂには何ら形成しない例を示したが、これに限定されない。例えば、周縁部１１ｂ及び周縁部１２ｂから中心部１１ａ及び中心部１２ａに向かって伸張する切り込みを所定間隔で複数形成しても良い。この場合、切り込みは周縁部１１ｂ及び周縁部１２ｂから中心部１１ａ及び中心部１２ａに直線的に伸張するのではなく、曲線的に伸張するように形成した方が良い。
【００４３】
このように構成すれば、容器の横断面寸法にバラツキがあった場合でも、劣化防止部材１周縁部全体が容器の横断面内側に近接又は当接する。例えば、容器の横断面寸法が劣化防止部材１の最大径よりも小さい場合には、周縁部１１ｂ及び周縁部１２ｂのうち、切り込みで切断された隣接部分同士の一部が重なりあって容器の横断面内側に当接するのである。切り込みは、容器の横断面寸法のバラツキに相当する長さにすることが好ましい。
【００４４】
実施の形態５．
上述の実施の形態１では、空間部１３を形成するとともに、上部１１の縦断面形状を中心部１１ａの厚さが最も厚く、中心部１１ａから周縁部１１ｂに向かってその厚さが徐々に薄くなるように形成する一方、下部１２の縦断面形状を中心部１２ａの厚さが最も厚く、中心部１２ａから周縁部１２ｂに向かってその厚さが徐々に薄くなるように形成することにより、劣化防止部材１の重心を中心部１１ａと中心部１１ｂとを通る軸線上に位置させる例を示したが、これに限定されない。
【００４５】
例えば、空間部１３を形成するとともに、上部１１の縦断面形状及び下部１２の縦断面形状の厚さを位置に応じて変えずに、劣化防止部材１の重心を中心部１１ａと中心部１１ｂとを通る軸線上に位置させるために、中心部１１ａ又は中心部１１ｂのいずれか一方又は両方に、比重が容器に収容される内容物の比重以上のおもりを埋設又は外付けしても良い。このように構成すれば、劣化防止部材１を形成するための金型等を安価に製造できるため、劣化防止部材１も安価に製造することができる。
【００４６】
実施の形態６．
上述の実施の形態１では、上部１１及び下部１２に使用される素材がガスバリア性を有していない場合、劣化防止部材１全体にＤＬＣをコーティングしたり、劣化防止部材１全体をガスバリア性を有するフィルムで覆ったりする例を示したが、これに限定されない。
【００４７】
例えば、劣化防止部材１は、上部１１と下部１２を別々に形成するとともに、上部１１と下部１２との間にガスバリア性を有するフィルム又は金属箔のいずれか一方又は両方を挿入して互いに接着又は溶着等して構成しても良い。ガスバリア性を有するフィルムとしては、第１に、基材と、この基材に積層された層とを含む多層構造体で構成されているものがある。基材の材料としては、ポリエチレン、ポリプロピレン、ポリエチレンテレフタレート、ナイロン−６及びナイロン−６６からなる群より選ばれる少なくとも１種の熱可塑性樹脂が好ましい。層の材料としては、アルミニウムを含む金属酸化物と無機リン化合物との反応生成物を含んでいる。
【００４８】
ガスバリア性を有するフィルムとしては、第２に、ポリアミド樹脂（ＰＡ）層又はエチレン−酢酸ビニル共重合体けん化物（ＥＶＯＨ）層、若しくはＰＡとＥＶＯＨの混合樹脂層から構成されているものもある。このフィルムは、単層でも複層でも良い。
【００４９】
上記ポリアミド樹脂は、特に限定されないが、ガスバリア性や耐ピンホール性の観点からナイロン系樹脂（Ｎｙ）を用いることが好ましい。例えば、６ナイロン、６６ナイロン、６９ナイロン、６−６６ナイロン、１２ナイロン、１１ナイロン、６１０ナイロン、６１２ナイロン、６Ｉ−６Ｔナイロン、ＭＸＤ６ナイロン、等の縮合単位の重合体又はこれら２種以上との共重合体、さらにはこれらの混合物を挙げることができる。中でもガスバリア性の高いＭＸＤ６ナイロンや耐ピンホール性の高い６ナイロンや６−６６ナイロンを用いることが好ましい。一方、上記ＥＶＯＨ樹脂は、エチレン含有量が３０〜６０モル％、けん化度が９５％以上のものが、成形性やガスバリア性の点から好ましい。
【００５０】
一方、金属箔の金属として、アルミニウムが主として用いられるが、その他亜鉛、スズ、銅、ステンレス等も使用することができる。劣化防止部材１の上部１１と下部１２との間に金属箔を挿入した場合、ガスバリア性を有するとともに、劣化防止部材１を容器に投入した際、容器内で十分に展開して元の形状に戻るため、劣化防止部材１の表面全体がワイン２２の液面上に配置されやすい。
【００５１】
以上、本発明の各実施の形態について図面を参照して詳述してきたが、具体的な構成はこれらの実施の形態に限られるものではなく、本発明の要旨を逸脱しない範囲の設計の変更等があっても本発明に含まれる。
【００５２】
例えば、上述の各実施の形態では、劣化防止部材１の平面形状が略円形状を呈している例を示したが、これに限定されない。劣化防止部材１の平面形状は、要するに、容器の横断面内側の形状に近似していれば良い。すなわち、容器の横断面内側の形状が略楕円形状の他、略四角形状又は略六角形状等の略多角形状を呈していれば、劣化防止部材１の平面形状もそれらの形状に近似した、略楕円形状、略四角形状又は略六角形状等の略多角形状を呈していれば良い。同様に、劣化防止部材１の平面寸法も、容器の横断面内側の寸法に近似していれば良い。つまり、劣化防止部材１の平面形状及び寸法は、周縁部１１ｂ及び１２ｂ全体が容器の横断面内側に近接又は当接するように形成されていれば良い。
【００５３】
また、上述の各実施の形態では、容器に収容される内容物がワイン２２である例を示したが、内容物は、ワイン２２等の飲料に限定されず、飲用以外の液体（例えば、液体調味料、ドレッシング、食用油等、化粧品、薬品）、あるいは粉体又は粒体でも良い。内容物が揮発性を有する場合には揮発による量の減少や濃度が高くなることなどを最小限に抑えることができる。
【００５４】
また、上述の各実施の形態では、容器開封後に容器に劣化防止部材１を挿入する例を示したが、これに限定されず、容器に内容物を充填した後容器を密閉する前に劣化防止部材１を挿入して内容物上に配置しても良い。このように構成すれば、購入者は手間がはぶけるとともに、容器開封直後から内容物の劣化を防止することができる。
【００５５】
また、上述の各実施の形態は、その目的及び構成等に特に矛盾や問題がない限り、互いの技術を流用することができる。
【符号の説明】
【００５６】
１…劣化防止部材、１１…上部、１１ａ…中心部（第１中心部）、１１ｂ…周縁部（第１周縁部）、１１ｃ…下面、１２…下部、１２ａ…中心部（第２中心部）、１２ｂ…周縁部（第２周縁部）、１２ｃ…上面、１３…空間部、２１…ワインボトル、２１ａ…口部、２１ｂ…首部、２１ｃ…肩部、２１ｄ…胴部、２２…ワイン
【国際調査報告】
2017082383.tif 000007
2017082383.tif 000008
2017082383.tif 000009
2017082383.tif 000010